(57)【要約】【課題】漢字以外の種別の文字を含む原稿においても音声にて確実に校正する。【解決手段】複数の種別の文字からなる原稿を音声にて出力して校正するための原稿校正システムであって、文字毎に、種別と、種別が漢字である場合にその音読み及び訓読みとが対応づけて記憶された辞書ファイル３０１と、原稿を音声にて出力する場合、辞書ファイル３０１を参照し、原稿を構成する文字のそれぞれについて、種別と、文字の種別が漢字である場合にその音読み及び訓読みとを含めて音声にて出力する音声テキスト生成手段２３１とを有する。【選択図】図１
2008191492.tif 000002
【特許請求の範囲】
【請求項１】
複数の種別の文字からなる原稿を音声にて出力して校正するための原稿校正システムであって、
前記文字毎に、前記種別と、該種別が漢字である場合にその音読み及び訓読みとが対応づけて記憶された辞書ファイルと、
前記原稿を音声にて出力する場合、前記辞書ファイルを参照し、前記原稿を構成する文字のそれぞれについて、前記種別と、当該文字の種別が漢字である場合にその音読み及び訓読みとを含めて音声にて出力する音声テキスト生成手段とを有する原稿校正システム。
【請求項２】
請求項１に記載の原稿校正システムにおいて、
前記原稿が記憶された原稿ファイルを有し、
前記音声テキスト生成手段は、音声にて指定された情報に基づいて、前記原稿のうち音声にて出力する箇所を前記原稿ファイルから検索して出力することを特徴とする原稿構成システム。
【請求項３】
請求項２に記載の原稿校正システムにおいて、
前記音声テキスト生成手段によって音声にて出力された文字を、音声にて指定された文字に修正して前記原稿ファイルに記憶するテキスト修正手段を有することを特徴とする原稿校正システム。
【請求項４】
請求項１乃至３のいずれか１項に記載の原稿校正システムにおいて、
前記辞書ファイルには、前記文字が平仮名である場合、１つの意味を持つ文字群として記憶され、
前記音声テキスト生成手段は、前記文字を前記文字群毎に音声にて出力することを特徴とする原稿校正システム。
【発明の詳細な説明】
【技術分野】
【０００１】
本発明は、電子化されたテキストデータからなる原稿を校正するための原稿校正システムに関し、特に、原稿を音声にて出力して校正する技術に関する。
【背景技術】
【０００２】
従来、音声入力による原稿作成を行う場合、原稿の入力は可能であるものの、入力された原稿の修正は視覚による確認が必要となるため、視覚障害等で視覚による原稿確認ができないような場合、一人で校正までを行うことは難しく、人を介しての原稿校正となってしまっている。
【０００３】
また、音声認識による原稿の修正においては、IBM ViaVoice、ドラゴンスピーチ、NEC SmartVoice等が既に製品化されているが、これらのいずれも、原稿の修正箇所を特定するためには視覚が必要となる。
【０００４】
また、特許文献１には、作成された文章を音声で出力することにより、音声で原稿のチェックを行うことができる文章編集装置が記載されているが、作成された文章が音声で出力されるだけであるため、入力された文字の誤変換は、視覚によらなければ確認することができない。
【０００５】
ここで、特許文献２に、作成された日本語文章のうち固有名詞について、１漢字毎に音読みと訓読みとを与えて合成音声で読み上げることにより、固有名詞の校正を可能とする技術が記載されている。この技術を用いれば、固有名詞について入力された文字の漢字への誤変換も確認することができるようになる。
【特許文献１】特開平７−７８１４９号公報
【特許文献２】特開昭６３−２４９２６１号公報
【発明の開示】
【発明が解決しようとする課題】
【０００６】
しかしながら、特許文献２に記載された技術を用いた場合、固有名詞の漢字については校正できるものの、固有名詞以外の文章について、漢字以外の平仮名、片仮名、アルファベットの種別が区別されず、作成された原稿を確実に校正できるとは言い難い。また、特許文献２には、漢字以外の文字については、音声によってどのように出力されるかが記載されていないため、漢字を含む単語について送り仮名が正しいかどうかを確認することができない虞れがある。
【０００７】
本発明は、上述したような従来の技術が有する問題点に鑑みてなされたものであって、漢字以外の種別の文字を含む原稿においても音声にて確実に校正することができる原稿校正システムを提供することを目的とする。
【課題を解決するための手段】
【０００８】
上記目的を達成するために本発明は、
複数の種別の文字からなる原稿を音声にて出力して校正するための原稿校正システムであって、
前記文字毎に、前記種別と、該種別が漢字である場合にその音読み及び訓読みとが対応づけて記憶された辞書ファイルと、
前記原稿を音声にて出力する場合、前記辞書ファイルを参照し、前記原稿を構成する文字のそれぞれについて、前記種別と、当該文字の種別が漢字である場合にその音読み及び訓読みとを含めて音声にて出力する音声テキスト生成手段とを有する。
【０００９】
上記のように構成された本発明においては、複数の種別の文字毎に、種別と、その種別が漢字である場合にその音読み及び訓読みとが対応づけて辞書ファイルに記憶されており、音声テキスト生成手段において原稿が音声にて出力される場合、辞書ファイルが参照され、原稿を構成する文字のそれぞれについて、種別と、文字の種別が漢字である場合にその音読み及び訓読みとを含めて音声にて出力される。
【００１０】
このように、原稿の音声出力にその原稿を構成する文字の種別が含まれるので、漢字以外の種別の文字を含む原稿においても、視覚にたよらない原稿校正が可能となる。
【００１１】
なお、本発明でいう文字の種別とは、漢字、平仮名、片仮名、アルファベットといった文字を表現する種類である。
【発明の効果】
【００１２】
以上説明したように本発明においては、複数の種別の文字毎に、種別と、その種別が漢字である場合にその音読み及び訓読みとが対応づけて辞書ファイルに記憶されており、音声テキスト生成手段において原稿が音声にて出力される場合、辞書ファイルが参照され、原稿を構成する文字のそれぞれについて、種別と、文字の種別が漢字である場合にその音読み及び訓読みとを含めて音声にて出力される構成としたため、漢字以外の種別の文字を含む原稿においても音声にて確実に校正することができる。
【発明を実施するための最良の形態】
【００１３】
以下に、本発明の実施の形態について図面を参照して説明する。
【００１４】
図１は、本発明の原稿校正システムの実施の一形態を示す図である。
【００１５】
本形態は図１に示すように、マイク等の音声入力装置１００と、本体装置２００と、記憶装置３００と、スピーカ等の音声テキスト出力装置４００とから構成されており、本体装置２００は、操作指定部２２０と、原稿入力部２１０と、再生箇所特定部２３０と、テキスト修正部２４０とから構成されている。操作指定部２２０は操作指定手段２２１からなり、原稿入力部２１０は音声認識テキスト化手段２１１からなり、再生箇所特定部２３０は音声テキスト生成手段２３１からなる。また、テキスト修正部２４０は、変更箇所指定手段２４１と修正箇所音声認識テキスト修正手段２４２とからなる。記憶装置３００には、辞書ファイル３０１と、入力されたテキストからなる原稿ファイル３０２とが格納されている。
【００１６】
操作指定手段２２１は、音声入力装置１００を介して入力された音声を元に、原稿入力を行うのか、原稿の音声再生を行うのか、原稿の校正を行うのかを指定する。
【００１７】
音声認識テキスト化手段２１１は、音声入力装置１００を介して音声によって入力された原稿を音声認識によって電子テキスト化し、記憶装置３００に原稿ファイル３０２として記憶する。
【００１８】
音声テキスト生成手段２３１は、原稿ファイル３０２として記憶された原稿を音声テキストとして再生するが、その際、辞書ファイル３０１を参照し、原稿を構成する文字のそれぞれについて、その文字が漢字なのか平仮名なのか片仮名なのかアルファベットなのかを示す種別と、その文字の種別が漢字である場合にその音読み及び訓読みとを含めて音声再生する。
【００１９】
変更箇所指定手段２４１は、音声認識で修正したい箇所の文章を入力することで、音声テキスト生成手段２３１にて再生された原稿のうち、校正したい箇所を特定する。
【００２０】
修正箇所音声認識テキスト修正手段２４２は、変更箇所指定手段２４１で特定された文節に対して、音声入力装置１００を介して音声入力された文章を電子テキスト化して、記憶装置３００の原稿ファイル３０２の修正を行う。
【００２１】
以下に、上記のように構成された原稿校正システムの動作について説明する。
【００２２】
まず、操作指定手段２２１は、音声入力装置１００を介して入力された音声に基づいて、原稿入力部２１０による原稿入力を行うのか、再生箇所特定部２３０による原稿の音声再生を行うのか、テキスト修正部２４０による原稿の校正を行うのかを指定する。
【００２３】
操作指定手段２２１により、原稿入力が選択された場合、原稿入力部２１０が動作する。原稿入力部２１０の音声認識テキスト化手段２１１では、複数の音声認識ソフトウェアを備え、音声入力装置１００を介して入力された原稿を音声認識して電子テキスト化し、記憶装置３００に原稿ファイル３０２として記憶する。
【００２４】
また、操作指定手段２２１により、原稿の校正が選択された場合は、再生箇所特定部２３０とテキスト修正部２４０が動作する。
【００２５】
音声テキスト生成手段２３１では、複数の音声認識ソフトウェアを備え、かつ、あいまい検索機能を備え、音声テキスト再生時の再生方法や再生開始箇所の指定ができる。
【００２６】
図２は、図１に示した原稿校正システムにおける音声テキスト生成手段２３１の処理を示す図である。
【００２７】
音声テキスト生成手段２３１においては、「文章のみの再生」と「文章に文字の属性を付加して再生」とのいずれかを音声テキスト再生時の再生方法として選択し（ステップＳ１）、また、音声入力装置１００を介して入力された音声によって再生箇所の指定を受け付け、その再生箇所を原稿ファイル３０２から検索する（ステップＳ２）。
【００２８】
そして、音声テキスト生成手段２３１は、ステップＳ１にて指定された再生方法によって、ステップＳ２にて指定された箇所から原稿の音声による再生を行い（ステップＳ３）、音声テキスト出力装置４００から出力される。
【００２９】
図３は、図１に示した辞書ファイル３０１の一例を示す図である。
【００３０】
図１に示した辞書ファイル３０１としては、例えば図３に示すように、複数の種別の文字のそれぞれについて、その文字の種別（漢字／平仮名／片仮名／アルファベット）と、種別が漢字である場合にその音読み及び訓読みとが対応づけられて記憶されたものが考えられる。
【００３１】
ステップＳ１にて「文章に文字の属性を付加して再生」が選択された場合は、音声テキスト生成手段２３１は、このような辞書ファイル３０１を参照して、各文字について、種別（漢字／平仮名／片仮名／アルファベット）と、その種別が漢字の場合には、原稿中に使用されている漢字を、音読み／訓読みの情報を含めて再生することにより、文字に種別を明確にした再生を行い、音声による文字の確認を可能とする。また、１つの読みで執筆者あるいは校正者が判別できないような場合には、再度別の読みでの再生を可能とすることで、音声のみによる文字の正当性判断が可能となる。
【００３２】
例えば、図３に示した辞書ファイル３０１を用いて、「今日は、」を再生した場合は、『「きょうはてん」、もじかくにん「かんじくんよみ：いま」「かんじくんよみ：にち」「ひらがな：は」「くとうてん」』と出力される。また、音声入力装置１００を介して「音読みで」と指定された場合は、『「きょうはてん」、もじかくにん「かんじおんよみ：こん」「かんじおんよみ：ひ」「ひらがな：は」「くとうてん」』と出力される。
【００３３】
また、各再生方法による再生中に、予め設定したキーワードを音声入力装置１００を介して音声入力することにより、ステップＳ１における再生方法の選択と、ステップＳ２における再生箇所の指定により、再生開始箇所を変更して再生させることができる（ステップＳ４）。
【００３４】
図４は、図１に示した辞書ファイル３０１の他の例を示す図である。
【００３５】
図１に示した辞書ファイル３０１としては、図３に示したものに加えて、図４に示すように、文字が平仮名である場合、１つの意味を持つ文字群として記憶されたものを用いることも考えられる。その場合、音声テキスト生成手段２３１は、文字を文字群毎に音声にて出力することになる。例えば、図４に示した例においては、「すべきである」という文章を音声再生する場合、『「ひらがな：すべき」「ひらがな：である」』というように出力される。
【００３６】
テキスト修正部２４０の変更箇所指定手段２４１では、複数の音声認識ソフトウェアを備え、かつ、あいまい検索機能を備え、音声認識により修正箇所を指定できる。
【００３７】
図５は、図１に示した原稿校正システムにおける変更箇所指定手段２４１の処理を示す図である。
【００３８】
原稿ファイル３０２に記憶されたテキストデータのうち特定された箇所が、音声テキスト生成手段２３１によって音声再生されている際に（ステップＳ１１）、音声入力装置１００を介して修正箇所が音声にて入力されると（ステップＳ１２）、変更箇所指定手段２４１は、再生されている範囲の後ろから遡って、ステップＳ１２にて音声入力によって指定された単語を、類似単語の検索により修正箇所の候補としてあげる（ステップＳ１３）。
【００３９】
そして、ステップＳ１３にて候補としてあげられた修正箇所が入力者の意図した箇所かどうかの確認を行い（ステップＳ１４）、候補としてあげた箇所が正しくない場合は、検索対象を次に進めるかどうかの指示に応じて（ステップＳ１５）、ステップＳ１２における音声入力もしくは、ステップＳ１３における類似単語の検索により、更に前の文章を遡って検索し、修正箇所の候補をあげることで、修正箇所の特定をする。
【００４０】
修正箇所音声認識テキスト修正手段２４２は、変更箇所指定手段２４１で特定された箇所に対して、音声入力装置１００を介して音声入力された文章を電子テキスト化して、記憶装置３００の原稿ファイル３０２の修正を行う。
【００４１】
（他の実施の形態）
図６は、本発明の原稿校正システムの他の実施の形態を示す図である。
【００４２】
本形態は図６に示したように、図１に示したものに対して、音声入力装置１００を介して音声にて入力された原稿が取り込まれるのではなく、記憶装置５００に記憶された電子テキスト５０１が原稿入力部２１０にて取り込まれる点のみが異なり、そのために、原稿入力部２１０が、電子テキスト化済み文章を取り込む文章取込手段２１２により構成されている。
【００４３】
本形態においては、電子テキスト５０１が格納された記憶装置５００から、文章取込手段２１２により電子テキストを取り込むことにより、既に電子テキスト化された文章も、音声入力による校正が可能となる。
【産業上の利用可能性】
【００４４】
本発明によれば、身体障害者の原稿作成／校正における自立支援といった用途に適用できる。また、高齢者等のコンピュータ操作に不慣れな人であっても、簡単に原稿作成／校正が行える。
【図面の簡単な説明】
【００４５】
【図１】本発明の原稿校正システムの実施の一形態を示す図である。
【図２】図１に示した原稿校正システムにおける音声テキスト生成手段の処理を示す図である。
【図３】図１に示した辞書ファイルの一例を示す図である。
【図４】図１に示した辞書ファイルの他の例を示す図である。
【図５】図１に示した原稿校正システムにおける変更箇所指定手段の処理を示す図である。
【図６】本発明の原稿校正システムの他の実施の形態を示す図である。
【符号の説明】
【００４６】
１００    音声入力装置
２００    本体装置
２１０    原稿入力部
２１１    音声認識テキスト化手段
２１２    文章取込手段
２２０    操作指定部
２２１    操作指定手段
２３０    テキスト修正部
２３１    音声テキスト生成手段
２４０    テキスト修正部
２４１    変更箇所指定手段
２４２    修正箇所音声認識テキスト修正手段
３００，５００    記憶装置
３０１    辞書ファイル
３０２    原稿ファイル
４００    音声テキスト出力装置
５０１    電子テキスト
【図１】
2008191492.tif 000003
【図２】
2008191492.tif 000004
【図３】
2008191492.tif 000005
【図４】
2008191492.tif 000006
【図５】
2008191492.tif 000007
【図６】
2008191492.tif 000008